(57)【要約】【課題】柄体に打撃体を着脱できる組立収納式ハンマーにおいて、ハンマー使用時に打撃体が柄体から抜ける事態を防止して安全性の向上を図ると共に、非使用時のコンパクト化を図った組立収納式ハンマーを提供する。【解決手段】柄体２の一端に形成された開口４と、開口４に繋げて柄体２の内部に形成された収納スペース５と、開口４に形成された第１雌ネジ部６と、柄体２の他端に設けられ柄体２の長手方向と直交する取付孔７を有する取付部８と、取付部８の取付孔７に形成された第２雌ネジ部９と、打撃体３に形成された雄ネジ部１０とを有し、雄ネジ部１０を第２雌ネジ部９に螺合させることで打撃体３が柄体２の端部に直角に取り付けられた使用状態となり、雄ネジ部１０を第１雌ネジ部６に螺合させることで打撃体３の一部が収納スペース５に収納された収納状態となる。【選択図】図２
2017087354.tif 000002
【特許請求の範囲】
【請求項１】
柄体と、該柄体に着脱自在に取り付けられる打撃体とを有する組立収納式ハンマーであって、
前記柄体の一端に形成された開口と、
該開口に繋げて前記柄体の内部に形成された収納スペースと、
前記開口の内周面に形成された第１雌ネジ部と、
前記柄体の他端に設けられ、前記柄体の長手方向に直交する取付孔を有する取付部と、
前記取付孔の内周面に形成された第２雌ネジ部と、
前記打撃体に形成され、前記第１雌ネジ部および前記第２雌ネジ部に螺合可能な雄ネジ部とを有し、
前記打撃体の雄ネジ部を前記柄体の第２雌ネジ部に螺合させることで、前記打撃体が前記柄体の端部に直角に取り付けられた使用状態となり、
前記打撃体の雄ネジ部を前記柄体の第１雌ネジ部に螺合させることで、前記打撃体の一部が前記収納スペースに収納された収納状態となる、
ことを特徴とする組立収納式ハンマー。
【請求項２】
前記打撃体の雄ネジ部が前記取付孔の第２雌ネジ部に螺合された使用状態において、前記取付孔から飛び出た前記雄ネジ部に螺合され、前記雄ネジ部と前記第２雌ネジ部との緩みを防止する緩み止めナットを有し、
該緩み止めナットは、収納状態時に、前記打撃体が前記柄体から取り外された状態で前記打撃体の雄ネジ部に螺合され、その雄ネジ部の前記緩み止めナットから飛び出た部分が前記開口の第１雌ネジ部に螺合されることで、前記打撃体の一部が前記収納スペースに収納された状態となる、
ことを特徴とする請求項１に記載の組立収納式ハンマー。
【請求項３】
前記柄体が、大径筒体と、該大径筒体にスライド自在に装着された小径筒体とを有し、
使用状態時、前記大径筒体と前記小径筒体とを伸長させた状態で固定するため、前記大径筒体の内周面と前記小径筒体の外周面とをネジ止する使用時固定ネジ機構を備え、
収納状態時、前記大径筒体と前記小径筒体とを収縮させた状態で固定するため、前記大径筒体の内周面と前記小径筒体の外周面とをネジ止する収納時固定ネジ機構を備えた、
ことを特徴とする請求項１又は２に記載の組立収納式ハンマー。
【請求項４】
前記打撃体の打撃部とは反対側の部分に、ネジ機構によって着脱自在に取り付けられるオプション工具を備え、
前記オプション工具は、収納状態時、前記打撃体に取り付けられた状態或いは取り外された状態で前記柄体の開口から収納スペースに収納され、
その状態で、前記開口の第１雌ネジ部に前記打撃体の雄ネジ部が螺合されることで前記開口が前記打撃体で蓋された状態となる、
ことを特徴とする請求項１から３の何れか１項に記載の組立収納式ハンマー。
【発明の詳細な説明】
【技術分野】
【０００１】
本発明は、柄体と、その柄体に着脱自在に取り付けられる打撃体とを有する組立収納式ハンマーに関する。
【背景技術】
【０００２】
ハンマーは、一般に、使用者が把持する柄体と、釘等の被打撃物を叩くため柄体の端部に取り付けられた打撃体とを備えている。従来、打撃体を柄体から取り外すことができる分解式の多用途ハンマーが、種々、開発されている。
【０００３】
この種の分解式ハンマーとして、柄体の端部に雄ネジ部を形成し、打撃体の中央部に凹設された取付穴に雌ネジ部を形成し、これら雄ネジ部と雌ネジ部とを螺合・分離させるようにしたものが知られている（特許文献１、２参照）。
【０００４】
この分解式ハンマーによれば、打撃体の中央部に形成された取付穴の雌ネジ部に柄体の端部の雄ネジ部を螺合することで、柄体の端部に打撃体が直角に取り付けられた使用状態となり、雌ネジ部を雄ネジ部から緩めて打撃体を柄体から取り外すことで、分解状態となる。
【先行技術文献】
【特許文献】
【０００５】
【特許文献１】特開平７−２０５０４６号公報
【特許文献２】中国特許出願公開第１０４１６２８７７号明細書
【発明の概要】
【発明が解決しようとする課題】
【０００６】
ところで、従来の分解式ハンマーは、打撃体の中央部の取付穴に形成された雌ネジ部に、柄体の端部の雄ネジ部が螺合されるようになっており、打撃体を柄体に固定するためのネジ部（雄ネジ部、雌ネジ部）が、ハンマー使用時に打撃体に遠心力が作用する方向に沿って形成されている。このため、使用時に被打撃物を打撃体で叩いたとき、ネジが緩む或いは破損すると、遠心力を受ける打撃体が柄体から抜けて不測の方向に飛び跳ね、周囲の物を破損したり作業者を含めた周囲の人間が怪我をする可能性がある。
【０００７】
また、従来の分解式ハンマーは、打撃体を柄体に組み付ける組立式のハンマーではあるが、打撃体を柄体から取り外した分解時に、打撃体と柄体がバラバラの状態となってしまう。このため、キャンプ等のアウトドア用品として使用する場合を想定すると、バラバラとなった打撃体と柄体とをセットで持ち運ぶ必要があり、保管性および携行性の点で改善の余地がある。また、何れかの部品の紛失が生じ易い。
【０００８】
以上の事情を考慮して創案された本発明の目的は、ハンマー使用時に打撃体が柄体から抜ける事態を防止して安全性の向上を図ると共に、非使用時のコンパクト化を図った組立収納式ハンマーを提供することにある。
【課題を解決するための手段】
【０００９】
上述した目的を達成すべく創案された本発明によれば、柄体と、柄体に着脱自在に取り付けられる打撃体とを有する組立収納式ハンマーであって、柄体の一端に形成された開口と、開口に繋げて柄体の内部に形成された収納スペースと、開口の内周面に形成された第１雌ネジ部と、柄体の他端に設けられ、柄体の長手方向に直交する取付孔を有する取付部と、取付孔の内周面に形成された第２雌ネジ部と、打撃体に形成され、第１雌ネジ部および第２雌ネジ部に螺合可能な雄ネジ部とを有し、打撃体の雄ネジ部を柄体の第２雌ネジ部に螺合させることで、打撃体が柄体の端部に直角に取り付けられた使用状態となり、打撃体の雄ネジ部を柄体の第１雌ネジ部に螺合させることで、打撃体の一部が収納スペースに収納された収納状態となる、ことを特徴とする組立収納式ハンマーが提供される。
【００１０】
本発明に係る組立収納式ハンマーにおいては、打撃体の雄ネジ部が取付孔の第２雌ネジ部に螺合された使用状態において、取付孔から飛び出た雄ネジ部に螺合され、雄ネジ部と第２雌ネジ部との緩みを防止する緩み止めナットを有し、緩み止めナットは、収納状態時に、打撃体が柄体から取り外された状態で打撃体の雄ネジ部に螺合され、その雄ネジ部の緩み止めナットから飛び出た部分が開口の第１雌ネジ部に螺合されることで、打撃体の一部が収納スペースに収納された状態となるものであってもよい。
【００１１】
本発明に係る組立収納式ハンマーにおいては、柄体が、大径筒体と、大径筒体にスライド自在に装着された小径筒体とを有し、使用状態時、大径筒体と小径筒体とを伸長させた状態で固定するため、大径筒体の内周面と小径筒体の外周面とをネジ止する使用時固定ネジ機構を備え、収納状態時、大径筒体と小径筒体とを収縮させた状態で固定するため、大径筒体の内周面と小径筒体の外周面とをネジ止する収納時固定ネジ機構を備えていてもよい。
【００１２】
本発明に係る組立収納式ハンマーにおいては、打撃体の打撃部とは反対側の部分に、ネジ機構によって着脱自在に取り付けられるオプション工具を備え、オプション工具は、収納状態時、打撃体に取り付けられた状態或いは取り外された状態で柄体の開口から収納スペースに収納され、その状態で、開口の第１雌ネジ部に打撃体の雄ネジ部が螺合されることで開口が打撃体で蓋された状態となっていてもよい。
【発明の効果】
【００１３】
本発明に係る組立収納式ハンマーによれば、次のような効果を発揮できる。
（１）ハンマー使用時には、打撃体の雄ネジ部を柄体の第２雌ネジ部に螺合させ、柄体の端部に打撃体を直角に取り付けた状態とする。この使用状態において、打撃体を柄体に固定するネジ部（雄ネジ部および第２雌ネジ部）は、使用者が柄体を把持して振り下ろすことで打撃体に生じる遠心力と直交する方向に沿って形成されている。また、第２雌ネジ部が形成された取付孔は、釘等の被打撃物を叩くことで打撃体に生じる衝撃力の方向に沿って形成されている。このため、仮に、ハンマー使用時に上記ネジ部（雄ネジ部および第２雌ネジ部）が緩む或いは破損したとしても、打撃部が柄体から抜けることはなく、安全性を高めることができる。
（２）ハンマー非使用時には、打撃体の雄ネジ部を柄体の第１雌ネジ部に螺合させ、打撃体の一部を柄体内の収納スペースに収納して両者を一体化した状態とする。この収納状態においては、打撃体の一部が柄体内の収納スペースに収納されるため、収納時のサイズがコンパクトとなる。従って、ハンマー非使用時の保管性および携行性が向上し、部品の紛失を防止できる。また、収納状態の外観（見栄え）が良好となり、キャンプ等のアウトドア用品として販売する場合、商品力が高まる。
（３）以上要するに、本発明に係る組立収納式ハンマーによれば、ハンマー使用時に打撃体が柄体から抜ける事態を防止して安全性の向上を図ることができると共に、非使用時のコンパクト化を図ることができる。
【図面の簡単な説明】
【００１４】
【図１】本発明の一実施形態に係る組立収納式ハンマーの使用状態を示す説明図である。
【図２】上記組立収納式ハンマーの分解状態を示す説明図である。
【図３】上記組立収納式ハンマーが収納状態となる過程を示す説明図である。
【図４】上記組立収納式ハンマーの収納状態を示す部分断面図である。
【図５】上記組立収納式ハンマーのオプション工具を示す説明図であり、（ａ）はオプション工具としてのペグ抜き、固定ナット、打撃体の分解図、（ｂ）は、それらの組立図、（ｃ）はオプション工具としてのピックを示す説明図である。
【発明を実施するための形態】
【００１５】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
（組立収納式ハンマー１の概要）
図１に本発明の一実施形態に係る組立収納式ハンマー１の使用状態を示し、図２にそのハンマー１の分解状態を示し、図３に分解されたハンマー１を収納状態にする過程を示し、図４にハンマー１の収納状態を示す。
【００１７】
図２に示すように、本実施形態に係る組立収納式ハンマー１は、柄体２と、柄体２に着脱自在に取り付けられる打撃体３とを有する組立収納式ハンマー１であって、柄体２の一端に形成された開口４と、開口４に繋げて柄体２の内部に形成された収納スペース５と、開口４の内周面に形成された第１雌ネジ部６と、柄体２の他端に設けられ、柄体２の長手方向に直交する取付孔７を有する取付部８と、取付孔７の内周面に形成された第２雌ネジ部９と、打撃体３に形成され、第１雌ネジ部６および第２雌ネジ部９に螺合可能な雄ネジ部１０（以下、第１雄ネジ部）とを有している。
【００１８】
かかる組立収納式ハンマー１は、打撃体３の第１雄ネジ部１０を柄体２の第２雌ネジ部９に螺合させることで、図１に示すように、打撃体３が柄体２の端部に直角に取り付けられた使用状態となり、打撃体３の第１雄ネジ部１０を柄体２の第１雌ネジ部６に螺合させることで、図４に示すように、打撃体３の一部が収納スペース５に収納された収納状態となる。以下、本実施形態に係る組立収納式ハンマー１の各構成要素を説明する。
【００１９】
（柄体２）
図１に示すように、柄体２は、使用者によって把持される棒状体からなり、使用時に釘等の被打撃物を打撃体３で叩いたとき反力によって破損しない材質、例えばＳＳ４００相当の金属等から構成されている。柄体２には、打撃体３が、使用状態（図１、図２参照）と収納状態（図３、図４参照）とで、場所を異ならせてネジで装着される。
【００２０】
図３、図４に示すように、柄体２の一端には、収納状態において、打撃体３を取り付けるため、断面円形の開口４が形成され、開口４の内周面には、第１雌ネジ部６が形成されている。柄体２の内部には、開口４に繋げて収納スペース５が形成されている。収納スペース５には、開口４の第１雌ネジ部６に打撃体３の第１雄ネジ部１０が螺合された収容状態において、打撃体３の一部が収容される。
【００２１】
図１、図２に示すように、柄体２の他端には、使用状態において、打撃体３を取り付けるため、柄体２の長手方向と直交する取付孔７を有する取付部８が設けられ、取付孔７の内周面には、第２雌ネジ部９が形成されている。第２雌ネジ部９の規格および寸法は、第１雌ネジ部６の規格および寸法と等しい。取付孔７の第２雌ネジ部９には、使用状態において、打撃体３の第１雄ネジ部１０が螺合され、打撃体３が柄体２の端部に直角に取り付けられる。
【００２２】
図２に示すように、柄体２は、持ち手部分となる大径筒体１１と、大径筒体１１にスライド自在に装着された小径筒体１２とを有する。なお、大径筒体１１と小径筒体１２とを上下逆に配設して小径筒体１２を持ち手部分としてもよいが、本実施形態では大径筒体１１を持ち手部分としたものを説明する。小径筒体１２には、使用状態時に打撃体３が直角に装着され、大径筒体１１には、収納状態時に打撃体３が向きを揃えて同軸に装着される。大径筒体１１と小径筒体１２とは、使用状態時には、伸長された状態で使用時固定ネジ機構に１３よって固定され、収納状態時には、収縮された状態で収納時固定ネジ機構１４によって固定される。
【００２３】
使用時固定ネジ機構１３は、大径筒体１１の内周面の上部に設けられた第３雌ネジ部１５と、小径筒体１２の外周面の下部に設けられた第２雄ネジ部１６とから構成され、第３雌ネジ部１５に第２雄ネジ部１６が螺合されることで、大径筒体１１と小径筒体１２とが伸長状態に保持される（図１参照）。収納時固定ネジ機構１４は、大径筒体１１の内周面の上端部に設けられた第４雌ネジ部１７と、小径筒体１２の外周面の上部に設けられた第３雄ネジ部１８とから構成され、第４雌ネジ部１７に第３雄ネジ部１８が螺合されることで、大径筒体１１と小径筒体１２とが収縮状態に保持される（図３参照）。
【００２４】
（大径筒体１１）
図２に示すように、大径筒体１１は、筒状の本体１９と、本体１９の下端に設けられた下端部材２０と、本体１９の上端に設けられた環状部材２１と、環状部材２１の上面に設けられた上端部材２２とを備えている。本体１９の内部には、収納状態時に、打撃体３の一部を収納するための収納スペース５が形成されている。本体１９の内周面の上部には、第３雌ネジ部１５が形成されており、この第３雌ネジ部１５に、小径筒体１２の外周面の下部に形成された第２雄ネジ部１６を螺合することで、大径筒体１１から小径筒体１２が引き出された伸長状態となる（図１参照）。
【００２５】
図２に示すように、本体１９の上端には、環状部材２１が溶接されている。環状部材２１の内径は、小径部材１２の外径に合わせて形成されており、環状部材２１に小径部材１２がスライド自在に挿通される。なお、環状部材２１の内周面に、小径部材１２の外周面に当接するダストシールを設けてもよい。環状部材２１は、図１に示すように、小径筒体１２を大径筒体１１から引き出した伸長状態としたとき、環状部材２１の内径縁部に第２雄ネジ部１６が突き当たり、小径筒体１２が大径筒体１１から抜ける事態を防止するストッパとなる。
【００２６】
図２に示すように、環状部材２１の上面には、上端部材２２が溶接されている。上端部材２２は、環状部材２１の内径よりも大きな内径を有するリング状に形成されており、その内周面には、第４雌ネジ部１７が形成されている。この第４雌ネジ部１７に、小径筒体１２の外周面の上部に形成された第３雄ネジ部１８を螺合することで、小径筒体１２が大径筒体１１に没入された収縮状態となる（図３参照）。
【００２７】
図２に示すように、本体１９の下端には、下端部材２０が溶接されている。下端部材２０には、本体１９内の収納スペース５に連通する断面円形の開口４が形成されており、開口４の内周面には、打撃体３の第１雄ネジ部１０が螺合する第１雌ネジ部６が形成されている。この第１雌ネジ部６に打撃体３の第１雄ネジ部１０を螺合することで、打撃体３の一部が柄体２内の収納スペース５に収納された収納状態となる（図３、図４参照）。
【００２８】
（小径筒体１２）
図２に示すように、小径筒体１２は、筒状の本体２３と、本体２３の外周面の下部に設けられた第２雄ネジ部１６と、本体２３の外周面の上部に設けられた第３雄ネジ部１８とを備えている。第２雄ネジ部１６が大径筒体１１の第３雌ネジ部１５に螺合されることで、小径筒体１２および大径筒体１１が伸長状態となり、第３雄ネジ部１８が大径筒体２の第４雌ネジ部１７に螺合されることで、小径筒体１２および大径筒体１１が収縮状態となる。この収縮状態時、小径筒体１２は、図４に示すように大径筒体１１に没入され、小径筒体１２の本体２３の内部が打撃体３の一部を収納するための収納スペース５となる。
【００２９】
図２に示すように、小径筒体１２の上端部には、小径筒体１２の長手方向に直交する方向に取付孔７を有する取付部８が溶接されている。取付孔７の内周面には第２雌ネジ部９が形成されており、第２雌ネジ部９に打撃体３の第１雄ネジ部１０を螺合させることで、打撃体３が小径筒体１２の端部に直角に取り付けられる（図１参照）。
【００３０】
（打撃体３）
図２に示すように、打撃体３は、円柱状に形成された打撃部２４と、打撃部２４よりも小径の円柱状に形成された本体２５と、本体２５の外周面に形成された第１雄ネジ部１０とを有する。打撃体３の材質には、釘等の被打撃物を打撃部２４で叩くことを前提とした高強度材、例えばハイテンション鋼等が用いられる。なお、打撃部２４の形状は、円柱状に限られず被打撃物を叩ける形状であればよく、例えば角柱状であってもよい。
【００３１】
打撃体３の第１雄ネジ部１０は、柄体２の第１雌ネジ部６および第２雌ネジ部９に螺合されるように、これらの雌ネジ部に合わせて同じ規格および寸法に形成されている。打撃体３の第１雄ネジ部１０を柄体２の第１雌ネジ部６に螺合することで図４に示す収納状態となり、打撃体３の第１雄ネジ部１０を柄体２の第２雌ネジ部９に螺合することで図１に示す使用状態となる。この使用状態において、打撃部２４と本体２５との段差２６は、釘等の被打撃物を打撃部２４で叩いたとき、打撃部２４に生じる衝撃力を取付部８の端面２７に伝える力伝達部材としての機能を有する。
【００３２】
（オプション工具２９）
図５（ａ）、図５（ｂ）に示すように、打撃体３の打撃部２４とは反対側の部分である本体２５の端部には、ネジ機構２８によってオプション工具２９が着脱自在に取り付けられるようになっている。オプション工具２９としては、図５（ａ）に示すペグ抜き２９ａ、図５（ｃ）に示すピック２９ｂ等が考えられる。ペグ抜き２９ａは、アウトドアのキャンプ等においてテントのアンカーとなるペグを地面から引き抜くものであり、ピック２９ｂは、同じくキャンプ等において岩等を割るものである。
【００３３】
図５（ａ）に示すように、ネジ機構２８は、オプション工具２８の外周面に形成された第４雄ネジ部３０と、打撃体３の本体２５の端面に凹設された第５雌ネジ部３１とを有する。第４雄ネジ部３０の第５雌ネジ部３１から飛び出た部分には、第６雌ネジ部３２が形成された締めナット３３が螺合される。この構成によれば、第４雄ネジ部３０に締めナット３３を比較的奧まで螺合させた状態で、第４雄ネジ部３０を第５雌ネジ部３１に奧までネジ込み、締めナット３３を緩み方向（図５の下方）に回転させて打撃体３の本体２５の端面に押し付けてダブルナットの如く機能させることで、オプション工具２９が打撃体３の本体２５に強固にネジ止めされる。締めナット３３は、作業者の手によって締め込まれ、六角形に限らず円形でもよい。
【００３４】
（緩み止めナット３４）
図２に示す組立収納式ハンマー１は、打撃体３の第１雄ネジ部１０が柄体２の取付孔７の第２雌ネジ部９に螺合された使用状態（図１参照）において、取付孔７から飛び出た第１雄ネジ部１０に螺合される緩み止めナット３４を有する。緩み止めナット３４は、使用状態時に、第１雄ネジ部１０にネジ込まれることで取付孔７の縁部３５に押し付けられてダブルナットとして機能し、第１雄ネジ部１０と第２雌ネジ部９との緩みを防止する。締めナット３４は、作業者の手によって締め込まれ、六角形に限らず円形でもよい。
【００３５】
図３に示すように、緩み止めナット３４は、ハンマー非使用時には、打撃体３が柄体２から取り外された状態で、打撃体３の第１雄ネジ部１０に奧まで螺合される。そして、図４に示すように、その雄ネジ部１０の緩み止めナット３４から飛び出た部分が、柄体２の第１雌ネジ部６に螺合される。この結果、打撃体３が柄体２に同軸に取り付けられて一体化され、このとき打撃体３の一部が柄体２内の収納スペース５に収納された状態となる。
【００３６】
図４に示すように、収納状態時、オプション工具２９（ペグ抜き２９ａ、ピック２９ｂ）は、打撃体３に取り付けられた状態或いは打撃体３から取り外された状態で柄体２の開口４を通じて収納スペース５に収納され、その状態で、柄体２の開口４の第１雌ネジ部６に打撃体３の第１雄ネジ部１０が螺合されることで、開口４が打撃体３で蓋された状態となる。
【００３７】
（作用・効果）
本実施形態に係る組立収納式ハンマー１によれば、図１、図２に示すように、ハンマー使用時には、打撃体３の第１雄ネジ部１０を柄体２の第２雌ネジ部９に螺合させ、柄体２の端部に打撃体３を直角に取り付けた状態とする。
【００３８】
この使用状態において、打撃体３を柄体２に固定するネジ部（第１雄ネジ部１０および第２雌ネジ部９）は、使用者が柄体２を把持して振り下ろすことで打撃体３に生じる遠心力と直交する方向に沿って形成されている。また、第２雌ネジ部９が形成された取付孔７は、釘等の被打撃物を叩くことで打撃体３に生じる衝撃力の方向に沿って形成されている。このため、仮に、ハンマー使用時に上記ネジ部（第１雄ネジ部１０および第２雌ネジ部９）が緩む或いは破損したとしても、打撃部３が柄体２から抜けることはなく、安全性が高い。
【００３９】
図１に示す使用状態において、打撃体３の打撃部２４と本体２５との段差２６は、釘等の被打撃物を打撃部２４で叩いたとき、打撃部２４に生じる衝撃力を取付部８の端面２７に伝える部材として機能する。このため、ハンマー使用時の衝撃力は、打撃体３を柄体２に固定するネジ部（第１雄ネジ部１０および第２雌ネジ部９）のみならず、上記段差２６を介して取付部８に伝わることになる。従って、段差２６が存在しない場合と比べると、ネジ部（第１雄ネジ部１０および第２雌ネジ部９）の負担が減り、ネジ部の緩み、破損を抑えることができる。
【００４０】
一方、図３、図４に示すように、ハンマー非使用時には、打撃体３の第１雄ネジ部１０を柄体２の第１雌ネジ部６に螺合させ、打撃体３の一部を柄体２内の収納スペース５に収納して両者を一体化した状態（収納状態）とする。このように打撃体３が柄体２に装着されることにより、ハンマー非使用時における部品の紛失を防止できる。
【００４１】
また、収納状態においては、打撃体３はその長手方向を柄体２の長手方向に合わせて柄体２に同軸に装着され、打撃体３の一部が柄体２内の収納スペース５に収納されるため、収納時のサイズがコンパクトとなる。従って、ハンマー非使用時の保管性および携行性が向上する。また、収納状態の外観（見栄え）が良好となり、キャンプ等のアウトドア用品として販売する場合、商品力が高まる。
【００４２】
図１、図２に示すように、ハンマー使用時に、打撃体３の第１雄ネジ部１０における、柄体２の第２雌ネジ部９から飛び出た部分には、緩み止めナット３４が螺合される。この緩み止めナット３４は、取付部８と共同してダブルナットとして機能し、第１雄ネジ部１０と第２雌ネジ部９との緩みを防止する。
【００４３】
すなわち、緩み止めナット３４を第１雄ネジ部１０の第２雌ネジ部９から飛び出た部分に螺合した状態で、取付部８を緩み方向（図１右方）に螺進させ、取付部８の端面３５を緩み止めナット３４に押し付ける。これにより、取付部８および緩み止めナット３４が第１雄ネジ部１０に強固にネジ止めされ、ハンマー使用時における第１雄ネジ部１０と第２雌ネジ部９との緩みを的確に防止できる。
【００４４】
緩み止めナット３４は、ハンマー非使用時には、図３、図４に示すように、打撃体３及び柄体２と一体化されるので、紛失することはなく、収納状態の外観を阻害しない。
【００４５】
図２に示すように、柄体２は、大径筒体１１とこれにスライド自在に装着された小径筒体１２とからなっているので、小径筒体１１を大径筒体１２に没入させることで柄体２の全長が短くなり、収納状態における寸法を小さくできる（図４参照）。従って、ハンマー非使用時（収納状態）における保管性および携行性が更に向上する。この収納状態において、小径筒体１２の内部は、打撃体３の一部を収納する収納スペース５として機能する。
【００４６】
一方、小径筒体１２を大径筒体１１から引き出すことで柄体２の全長が長くなるため（図１参照）、柄体２の端部を握って打撃体３で被打撃物を叩く際、打撃体３に作用するモーメントの腕の長さが長くなり、打撃力が増大する。また、柄体２は、中空の大径筒体１１と小径筒体１２とから構成されており、打撃体３より遙かに軽量であるため、図１に示す使用状態のハンマーは、中空の柄体２の先端に取り付けられた打撃体３に質量が集中し、手元側が軽く先端側が重くなる。従って、質量が均等に分布している場合よりも、使用時に打撃体３に作用する角運動量が増大し、使い勝手が向上する。
【００４７】
図５に示すように、打撃体３の打撃部２４とは反対側の部分には、オプション工具２９（ペグ抜き２９ａ、ピック２９ｂ等）が、ネジ機構２８によって取り付けられる。オプション工具２９は、図４に示すように、収納状態時、打撃体３に取り付けられた状態或いは取り外された状態で柄体２の開口４から収納スペース５に収納され、その状態で、開口４の第１雌ネジ部６に打撃体３の第１雄ネジ部１０が螺合されることで開口４が打撃体３で蓋された状態となる。これにより、オプション工具２９の紛失を防止でき、オプション工具２９をその他の部品と一体に携行できる。
【００４８】
以上、添付図面を参照しつつ本発明の好適な実施形態について説明したが、本発明は上述した実施形態に限定されないことは勿論であり、特許請求の範囲に記載された範疇における各種の変更例または修正例についても、本発明の技術的範囲に属することは言うまでもない。
【産業上の利用可能性】
【００４９】
本発明は、柄体に打撃体を着脱できる組立収納式ハンマーであって、使用時に打撃体が柄体から抜ける事態を防止して安全性の向上を図ると共に、非使用時のコンパクト化を図った組立収納式ハンマーに利用できる。
【符号の説明】
【００５０】
１  組立収納式ハンマー
２  柄体
３  打撃体
４  開口
５  収納スペース
６  第１雌ネジ部
７  取付孔
８  取付部
９  第２雌ネジ部
１０  雄ネジ部（第１雄ネジ部）
１１  大径筒体
１２  小径筒体
１３  使用時固定ネジ機構
１４  収納時固定ネジ機構
２８  ネジ機構
２９  オプション工具
３４  緩み止めナット
【図１】
2017087354.tif 000003
【図２】
2017087354.tif 000004
【図３】
2017087354.tif 000005
【図４】
2017087354.tif 000006
【図５】
2017087354.tif 000007